(57)【要約】      （修正有）【課題】ストッパーとトップカバーとを一体成形することにより、ストッパーを加える工程を省略し、これにより、加工コスト及びその材料コストを減らすことができる米計量器の計量部構造を提供する。【解決手段】米計量升１０及びトップカバー２０を備え、米計量器の内部に設置した計量部材１００により米を計量する。米計量升１０は、開口を有する収納空間が形成された長尺状の筒体であり、収納空間１１は、傾斜プレートセクション１２と弧状セクション１３との組み合わせにより形成され、弧状セクション１３の外側縁部には米ブロック縁部１４が形成されている。米計量升１０の端部には、軸心に回転軸１６が延設され、回転軸１６の端部には、偏心ピン１７を平行に凸設させた構成とする。【選択図】図２
0003158506.tif 000002
【実用新案登録請求の範囲】
【請求項１】
米計量升及びトップカバーを備え、米計量器の内部に設置した計量部材により米を計量する米計量器の計量部構造であって、
前記米計量升は、開口を有する収納空間が形成された長尺状の筒体であり、前記収納空間は、傾斜プレートセクションと弧状セクションとの組み合わせにより形成され、前記弧状セクションの外側縁部には米ブロック縁部が形成され、前記米計量升の端部には、軸心に回転軸が延設され、前記回転軸の端部には、偏心ピンが平行に凸設され、
前記トップカバーは、前記米計量升の上方を弧状に覆い、前記米計量升が回転可能な空間を提供し、前記トップカバーには、前記米計量升の上端に入口が設けられ、前記入口の側部の内縁は、下向きに薄型ストッパーが一体成形され、前記ストッパーは、前記米計量升の前記傾斜プレートセクションに対向するように設置され、前記トップカバーに設けられた前記ストッパーの端部の内壁に凹部溝が凹設されていることを特徴とする米計量器の計量部構造。
【請求項２】
前記米計量升の前記収納空間の内部に、前記収納空間の大きさを調整するプレートが挿設されてなることを特徴とする請求項１に記載の米計量器の計量部構造。
【請求項３】
前記米ブロック縁部の端部の前記弧状セクションの外表面には、逃げ隙間部が形成されていることを特徴とする請求項１に記載の米計量器の計量部構造。
【請求項４】
前記計量部材の底部には、前記米計量升を収納し、米排出口を有する受け部が配置され、
前記米排出口の下方には、米取出しボックスが設置されていることを特徴とする請求項１に記載の米計量器の計量部構造。
【請求項５】
前記計量部材の前記トップカバーの上方には、前記トップカバーの前記入口と連通した米保存室が配置されていることを特徴とする請求項１に記載の米計量器の計量部構造。
【考案の詳細な説明】
【技術分野】
【０００１】
本考案は、米計量器の構造に関するものであり、さらに詳しくは、米を計量する米計量器の計量部構造に関するものである。
【背景技術】
【０００２】
一般に、家庭で米を炊くために米櫃又は米袋から米を取り出す際には、小型の計量カップを用いて白米を計量するが、このような方式では、米の量が人為的要素により少なくなったり多くなったりする上、米を取り出す過程で米粒が外にこぼれる虞もあった。そのため、特に頻繁に米を取り出す必要があるユーザにとって使用上不便であった。
【考案の開示】
【考案が解決しようとする課題】
【０００３】
本考案の課題は、ストッパーとトップカバーとを一体成形することにより、ストッパーを加える工程を省略し、これにより、加工コスト及びその材料コストを減らすことができる米計量器の計量部材構造を提供することにある。
【０００４】
本考案のもう一つの課題は、米計量器により米を計量する際、トップカバーの入口が閉じてから、受け部の米排出口が開くように米計量升が回転するため、計量部材から米がこぼれることを防いで、米を正確に計量することができる米計量器の計量部構造を提供することにある。
【課題を解決するための手段】
【０００５】
上記課題を解決するために、本考案の第１の形態によれば、米計量升及びトップカバーを備え、米計量器の内部に設置した計量部材により米を計量する米計量器の計量部構造であって、前記米計量升は、開口を有する収納空間が形成された長尺状の筒体であり、前記収納空間は、傾斜プレートセクションと弧状セクションとの組み合わせにより形成され、前記弧状セクションの外側縁部には米ブロック縁部が形成され、前記米計量升の端部には、軸心に回転軸が延設され、前記回転軸の端部には、偏心ピンが平行に凸設され、前記トップカバーは、前記米計量升の上方を弧状に覆い、前記米計量升が回転可能な空間を提供し、前記トップカバーには、前記米計量升の上端に入口が設けられ、前記入口の側部の内縁は、下向きに薄型ストッパーが一体成形され、前記ストッパーは、前記米計量升の前記傾斜プレートセクションに対向するように設置され、前記トップカバーに設けられた前記ストッパーの端部の内壁に凹部溝が凹設されていることを特徴とする米計量器の計量部構造が提供される。
【０００６】
また、本考案の第１の形態において、  前記米計量升の前記収納空間の中には、前記収納空間の大きさを調整するプレートが挿設されていることが好ましい。
【０００７】
本考案の第１の形態において、前記米ブロック縁部の端部の前記弧状セクションの外表面には、逃げ隙間部が形成されていることが好ましい。
【０００８】
本考案の第１の形態において、前記計量部材の底部には、前記米計量升を収納し、米排出口を有する受け部が配置され、前記米排出口の下方には、米取出しボックスが設置されていることが好ましい。
【０００９】
本考案の第１の形態において、前記計量部材の前記トップカバーの上方には、前記トップカバーの前記入口と連通した米保存室が配置されていることが好ましい。
【考案の効果】
【００１０】
本考案の米計量器の計量部構造は、以下（１）及び（２）の効果を有する。
（１）ストッパーとトップカバーとを一体成形することにより、ストッパーを加える工程を省略し、これにより、加工コスト及びその材料コストを減らすことができる。
（２）米計量器により米を計量する際、トップカバーの入口が閉じてから、受け部の米排出口が開くように米計量升が回転するため、計量部材から米がこぼれることを防いで、米を正確に計量することができる。
【図面の簡単な説明】
【００１１】
【図１】本考案の一実施形態による米計量器の計量部構造を使用状態を示す透視図である。
【図２】本考案の一実施形態による計量部材を示す分解斜視図である。
【図３】本考案の一実施形態による計量部材を示す部分拡大図である。
【図４】本考案の一実施形態による計量部材が回転していないときの状態を示す断面図である。
【図５】本考案の一実施形態による米計量升がストッパーに当接されたときの状態を示す断面図である。
【図６】本考案の一実施形態による計量部材の落米状態を示す断面図である。
【考案を実施するための形態】
【００１２】
以下、本考案の実施形態について図面に基づいて具体的に説明する。なお、これらによって本考案が限定されるものではない。
【００１３】
図１〜図３に示すように、本考案の一実施形態による米計量器の計量部構造は、米を計量するための米計量器Ａの内部に設置された計量部材１００からなる。計量部材１００は、米計量升１０及びトップカバー２０の組み合わせを含む。米計量升１０は、開口を有する収納空間１１が形成された長尺状の筒体である。収納空間１１は、傾斜プレートセクション１２と弧状セクション１３との組み合わせにより形成されている。弧状セクション１３の外側縁部には、米ブロック縁部１４が形成されている。弧状セクション１３は、米ブロック縁部１４の端の外表面の箇所に隙間部１３１を有し（図４に示す）、米計量升１０は、収納空間１１の中にプレート１５が挿設されている。プレート１５は、収納空間の大きさを調整するために用い、米計量升１０の端部には、軸心に回転軸１６が延設されている。回転軸１６の端部には、偏心ピン１７が平行に凸設されている。米計量升１０は、上端がトップカバー２０により弧状に覆われ、米計量升１０が回転可能な空間を提供する。トップカバー２０は、米計量升１０の上端に入口２１が設けられ、入口２１の側部の内縁には、下向きに薄型ストッパー２２が一体成形されている。ストッパー２２は、米計量升１０の傾斜プレートセクション１２の側部に対向するように設置され、トップカバー２０に設けられたストッパー２２の端部の内壁に凹部溝２３が凹設され、計量部材１００の底部には、受け部３０が設けられている（図４に示す）。受け部３０は、米計量升１０を収納するために用い、米排出口３１を有する。米排出口３１の下方には、米取出しボックス４０が設置され、計量部材１００のトップカバー２０の上方に、トップカバー２０の入口２１と連通した米保存室５０が配置されている。
【００１４】
以下、本考案の一実施形態による米計量器の計量部構造の米計量器Ａの内部に設けた計量部材１００を説明する。
【００１５】
図１及び図２に示すように、計量部材１００は、米計量器Ａの受け部３０に装着されている。受け部３０は、下方に米取出しボックス４０が設置され、計量部材１００の上方に設けられた米保存室５０と連通している。図４に示すように、米保存室５０の中に収納された白米は、トップカバー２０の入口２１を介して米計量升１０の中に滑り落ち、米計量升１０に充填される。米計量升１０の収納空間１１に収納される白米量は、計量部材１００の１単位分の米量であり、米計量升１０の内部に設置したプレート１５により、収納空間１１が収納する米量を減らすことができるため、プレート１５の使用の有無により、米量を調整することができる（図５に示す）。計量部材１００の偏心ピン１７を押圧すると、米計量升１０は、回転軸１６を軸心として偏心ピン１７の回転により同方向に回転される。これにより、弧状セクション１３の米ブロック縁部１４がトップカバー２０のストッパー２２の端部に当接して入口２１を閉めるまで、米計量升１０の傾斜プレートセクション１２を回転させる。弧状セクション１３の外表面の箇所には、米計量升１０内に白米がスムーズに入るように、逃げ隙間部１３１が形成されている。隙間部１３１及び凹部溝２３を用いると、ストッパー２２と米ブロック縁部１４とにより挟まれることを防ぎ、ストッパー２２を保護することができる。
【００１６】
最後に、図６に示すように、米計量升１０の傾斜プレートセクション１２が回転して、受け部３０の米排出口３１が閉じられていない状態となると、傾斜プレートセクション１２に沿って米排出口３１から白米が滑り出て、米取出しボックス４０に充満させて１単位分の米を計量することができる。米計量升１０が回復すると、米計量升１０の開口が上向きとなり白米が再び充填される。
【００１７】
上述の構造の作動により、米計量器Ａは米計量を行うことができる。即ち、トップカバー２０の入口２１に、ストッパー２２が一体成形されているため、米計量升１０の米ブロック縁部１４がストッパー２２に当接されても、トップカバー２０と米計量升１０との間の隙間に米が入り込むことを防ぐことができる。このように、ストッパー２２を利用し、米計量升１０とトップカバー２０との間の隙間が大きいため、米計量升１０の動作がスムーズとなり、詰まりの発生を防ぐことができる。
【００１８】
上述の実施形態から分かるように、本考案は、以下（１）及び（２）の長所を有する。
（１）ストッパーとトップカバーとが一体成形されているため、ストッパーを加える工程を省略し、これにより、加工コスト及びその材料コストを減らすことができる。
（２）米計量器により米を計量する際、トップカバーの入口が閉じてから、受け部の米排出口が開くように米計量升が回転するため、計量部材から米がこぼれることを防いで米を正確に計量することができる。
【００１９】
本考案の好適な実施形態を前述の通り開示したが、これらにより本考案が限定されるものではなく、本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２０】
Ａ  米計量器
１０  米計量升
１１  収納空間
１２  傾斜プレートセクション
１３  弧状セクション
１４  米ブロック縁部
１５  プレート
１６  回転軸
１７  偏心ピン
２０  トップカバー
２１  入口
２２  ストッパー
２３  凹部溝
３０  受け部
３１  米排出口
４０  米取出しボックス
５０  米保存室
１００  計量部材
１３１  隙間部
【図１】
0003158506.tif 000003
【図２】
0003158506.tif 000004
【図３】
0003158506.tif 000005
【図４】
0003158506.tif 000006
【図５】
0003158506.tif 000007
【図６】
0003158506.tif 000008